(57)【要約】      （修正有）【課題】箱体内部の物品収納用の収納部に収納された物品が安定な収納状態を保ちながら、物品を取り出す際の確認が容易であり、かつ物品の取り出しおよび収納が容易であるウォールキャビネットを提供する。【解決手段】前端２が開放され、内部が物品収納用の収納部４とされた箱体５と、箱体の前端を開閉する扉とを備え、天井際に設置されるウォールキャビネット１において、収納部の下端部に、収納部の前方に引き出し可能であり、収納部の内部に収納される、前後方向に移動可能な可動棚１３が設けられ、収納部からの引き出し限界において可動棚は、その全体が前傾可能とされている。【選択図】図２
2014054333.tif 000002
【特許請求の範囲】
【請求項１】
前端が開放され、内部が物品収納用の収納部とされた箱体と、この箱体の前記前端を開閉する扉とを備え、天井際に設置されるウォールキャビネットにおいて、
前記収納部の下端部に、前記収納部の前方に引き出し可能であり、前記収納部の内部に収納される、前後方向に移動可能な可動棚が設けられ、
前記収納部からの引き出し限界において前記可動棚は、その全体が前傾可能とされている
ことを特徴とするウォールキャビネット。
【請求項２】
前記可動式棚の下面に第１レールが設けられ、前記収納部の底面に第２レールが設けられ、前記第１レールは、前記第２レールに係合し、前記第２レールに沿って前後方向にスライド可能であり、かつ前記可動棚の前記収納部からの引き出し限界において、前記第１レールの前記第２レールへの係合が部分的に解除可能であり、前記第１レールは、前記第２レールの前端部を中心として下方に回動可能であることを特徴とする請求項１に記載のウォールキャビネット。
【発明の詳細な説明】
【技術分野】
【０００１】
本発明は、ウォールキャビネットに関する。
【背景技術】
【０００２】
本出願人は、流し台や洗面化粧台などの家具の上方に設置される収納庫としてのウォールキャビネットに関し、下記特許文献１に記載したものを提案している。
【０００３】
特許文献１に記載した吊戸棚では、吊戸棚の左右両側の下端面から下方に垂設された支持体の下部に、一対の断面コ字型の形状を有するレールをその開口面が相対向するように配置して設けられ、かつレール内を摺動する棚板が設けられている。また、吊戸棚では、棚板の前部が、レールより引き出したときに下方に傾斜するように、棚板の後部に折曲自在に連結されている。
【０００４】
このような吊戸棚は、棚板をレールから引き出すことによって、通常手の届きにくい高所に収納されている物品を容易に取り出せる範囲に移動させることができ、背の低い人や子供にとって使い勝手が良好であるという利点を有している。
【先行技術文献】
【特許文献】
【０００５】
【特許文献１】実開昭６３−８８１４１号公報
【発明の概要】
【発明が解決しようとする課題】
【０００６】
しかしながら、特許文献１に記載した吊戸棚では、引き出し可能な棚板は、吊戸棚の下方に配置されているため、吊戸棚の内部の収納部に収納される物品の取り出しおよび収納を容易とすることには寄与しない。吊戸棚の収納部に収納される物品の内、比較的使用頻度の高いものは、通常、収納部の下側に収納されるが、それでも吊戸棚は比較的高所に設置されるため、身長の異なる複数の使用者に対して使い勝手が良好であるとは言い難い。
【０００７】
また、特許文献１に記載した吊戸棚では、棚板の前部が、後部に対して折曲自在に連結され、下方に傾斜可能となっているが、レールより棚板を引き出したとき、棚板の前部は折れるように傾斜するため、前部の後端が後部の前端から離れてしまう。このため、棚板の前部と後部の連結部では、前部の下方への傾斜によって、物品を載置する棚板の上面が不連続なものとなる。したがって、棚板の前部と後部の連結部付近に置かれた物品の収納状態は、前部の下方への傾斜の際に不安定になり、物品の転倒、落下などが起こることが懸念される。
【０００８】
本発明は、以上のとおりの事情に鑑みてなされたものであり、箱体内部の物品収納用の収納部に収納された物品が安定な収納状態を保ちながら、物品を取り出す際の確認が容易であり、かつ物品の取り出しおよび収納が容易であるウォールキャビネットを提供することを課題としている。
【課題を解決するための手段】
【０００９】
上記の課題を解決するために、本発明のウォールキャビネットは、前端が開放され、内部が物品収納用の収納部とされた箱体と、箱体の前端を開閉する扉とを備え、天井際に設置されるウォールキャビネットにおいて、収納部の下端部に、収納部の前方に引き出し可能であり、収納部の内部に収納される、前後方向に移動可能な可動棚が設けられ、収納部からの引き出し限界において可動棚は、その全体が前傾可能とされていることを特徴としている。
【００１０】
このウォールキャビネットにおいては、可動式棚の下面に第１レールが設けられ、収納部の底面に第２レールが設けられ、第１レールは、第２レールに係合し、第２レールに沿って前後方向にスライド可能であり、かつ可動棚の収納部からの引き出し限界において、第１レールの第２レールへの係合が部分的に解除可能であり、第１レールは、第２レールの前端部を中心として下方に回動可能であることが好ましい。
【発明の効果】
【００１１】
本発明のウォールキャビネットによれば、箱体内部の物品収納用の収納部に収納された物品が安定な収納状態を保ちながら、物品を取り出す際の確認が容易となり、かつ物品の取り出しおよび収納が容易となる。
【図面の簡単な説明】
【００１２】
【図１】本発明のウォールキャビネットの一実施形態を、扉を開いて正面側から示した斜視図である。
【図２】（ａ）（ｂ）（ｃ）（ｄ）は、それぞれ、図１に示したウォールキャビネットを、扉を省略して示した上下方向の断面図であり、可動棚に置かれた物品の取り出しおよび収納時の操作を示したものである。
【図３】図１および図２に示した第１レールおよび第２レールを示した斜視図である。
【図４】（ａ）（ｂ）（ｃ）は、それぞれ、図３に示した第１レールおよび第２レールの動作を示した側面図である。
【発明を実施するための形態】
【００１３】
図１は、本発明のウォールキャビネットの一実施形態を、扉を開いて正面側から示した斜視図である。図２（ａ）（ｂ）（ｃ）（ｄ）は、それぞれ、図１に示したウォールキャビネットを、扉を省略して示した上下方向の断面図であり、可動棚に置かれた物品の取り出しおよび収納時の操作を示したものである。
【００１４】
ウォールキャビネット１は、前端２が開放され、内部が物品３を収納するための収納部４とされた箱体５と、箱体５の前端２を開閉する扉６とを備えている。また、ウォールキャビネット１は、箱体５の収納部４を上下に区画する棚板７を備えてもいる。
【００１５】
箱体５は、上下に対向して配置された平板状の天板８および底板９と、天板８および底板９の左右両側に互いに対向して配置された平板状の側板１０と、天板８および底板９の後端部に配置された平板状の背板１１とから形成されている。これらの天板８、底板９、左右の側板１０および背板１１により囲まれた内側の空間が、物品３の収納用の収納部４とされている。
【００１６】
扉６は、観音開き式であり、箱体５の前端２に左右に一枚ずつ設けられている。各扉６は、その裏面の後端部に上下一対として配置されたヒンジ１２によって、箱体５の左右の側板１０のそれぞれに連結されている。ヒンジ１２は、扉６の裏面の後端部と左右の側板１０の内面の前端部に固定され、扉６を左右方向に回動自在に支持している。このため、扉６は、箱体５の前端２を開閉することができる。扉６の開閉操作は、たとえば、扉６の表面部に設けられる取っ手、または箱体５の高さよりも長さが長くされた扉６において、箱体５の底板９より下側に突出する扉６の下端部などに使用者が手指を掛けることによって容易に行うことができる。
【００１７】
棚板７は、平板状の形状を有し、箱体５の内部に一枚設けられている。また、棚板７は、箱体５の高さ方向の中央部からやや上側に配置され、収納部４を上下の２つに区画している。棚板７から上側と下側では収納部４の収納量が異なり、棚板７から下側の収納部４の収納量は、棚板７から上側の収納部４の収納量よりも大きい。棚板７の箱体５への取り付けは、特に限定されず、たとえばダボなどを用いて行うことができる。ダボを用いる場合には、棚板７の取付高さを変更することができるように、左右の側板１０のそれぞれの内面側に前後２列のダボ穴を形成し、所望の位置にダボを打入または螺入することができるようにする。また、棚板７には、その下面側にダボの頭部が嵌入することのできる切欠を左右に２つずつ形成しておく。所望の高さに対応するダボ穴に左右２つずつのダボを取り付け、取り付けたダボの上方において収納部４内に挿入した棚板７を、切欠にダボの頭部を嵌入させて配置することにより、棚板７の箱体５への取り付けを簡便に行うことができる。
【００１８】
このようなウォールキャビネット１は、流し台や洗面化粧台などの家具の上方の天井際に設置される。たとえば、ウォールキャビネット１は、天井付近の内壁上端部などに固定されて取り付けられる。物品３は、底板９および棚板７の上面の上に載せ、箱体５の幅方向および奥行き方向に収納可能である。
【００１９】
また、ウォールキャビネット１では、棚板７から下側の収納部４の下端部に、前方に引き出し可能であり、収納部４の内部に収納される、前後方向に移動可能な可動棚１３が設けられている。可動棚１３は、平板状の形状を有し、箱体５の底板９の上面の直上に配置されている。可動棚１３の外周には、物品３の転倒、落下などを抑制するための柵１４が設けられ、柵１４は、可動棚１３の上面から立ち上げられている。
【００２０】
また、可動棚１３は、図２（ｃ）に示したように、収納部４からの引き出し限界においてその全体が前傾可能とされている。このような可動棚１３の収納部４から前方への引き出しおよび引き出し限界での前傾を実現するために、ウォールキャビネット１には、第１レール１５および第２レール１６が設けられている。第１レール１５は、可動棚１３の下面に設けられ、第２レール１６は、収納部４の底面を形成する底板９の上面に設けられている。図１に示したように、第２レール１６は、底板９の上面の左右両端部に一本ずつ設けられ、二本の第２レール１６は左右対称に配置されている。このような第２レール１６の配置に対応させて、第１レール１５も、可動棚１３の底面の左右両端部に一本ずつ設けられ、二本の第１レール１５は左右対称に配置されている。
【００２１】
図３は、図１および図２に示した第１レールおよび第２レールを示した斜視図である。図４（ａ）（ｂ）（ｃ）は、それぞれ、図３に示した第１レールおよび第２レールの動作を示した側面図である。
【００２２】
第１レール１５は、断面Ｌ字型の形状を有する比較的長尺な部材である。第１レール１５は、水平に配置される固定片１７と、固定片１７の一端から垂直下方に延びる支持片１８とを備えている。固定片１７は、第１レール１５を図１および図２に示した可動棚１３にビスなどの固着具によって取り付けるための部位である。第１レール１５は、図２（ａ）に示したように、可動棚１３の前後方向に延び、かつ支持片１８が固定片１７よりも可動棚１３の内側に配置されるようにして固定片１７の上面を可動棚１３の下面に当接させ、固着具によって可動棚１３の下面に取り付けられる。また、第１レール１５では、支持片１８の一端部の下端部にローラー１９が回転自在に設けられ、ローラー１９の下端部は、支持片１８の下縁よりも下側に突出している。ローラー１９は、第１レール１５において固定片１７の下方に配置され、図２（ａ）に示したように、第１レール１５が可動棚１３の下面に取り付けられた状態では、可動棚１３の後端部に配置される。
【００２３】
第２レール１６は、断面コ字型の形状を有する比較的長尺な部材である。第２レール１６は、水平に配置される係止片２０と、係止片２０に対向して配置された固定片２１と、係止片２０の一端と、この一端に対向して配置された固定片２１の一端とを連結する連結片２２とを備えている。固定片２１は、第２レール１６を図１および図２に示した可動棚１３にビスなどの固着具によって取り付けるための部位である。第２レール１６は、図２（ａ）に示したように、箱体５の底板９の前後方向に延び、かつ連結片２２が係止片２０および固定片２１よりも外側に配置されるようにして固定片２１の下面を底板９の上面に当接させ、固着具によって底板９の上面に取り付けられる。また、第２レール１６では、連結片２２の一端部と他端部の上端部にローラー２３が一つずつ回転自在に設けられている。二つのローラー２３はともに、第２レール１６において固定片２１の上方に配置され、ローラー２３の上端部は、連結片２２の上縁よりも上側に突出している。このようなローラー２３の突出を可能とするために、係止片２０では、ローラー２３の取付位置に該当する部分に開口が設けられている。
【００２４】
また、第２レール１６では、長さ方向の略中央部に切欠部２４が設けられている。切欠部２４は、係止片２０の該当箇所の全てと連結片２２の上端部とが切り欠かれて形成されている。切欠部２４の大きさは、第１レール１５のローラー１９が出入り可能な大きさとされている。また、第２レール１６では、切欠部２４の一端付近に平板状のストッパー２５が設けられている。ストッパー２５は、固定片２１の上面から上方に立ち上げられ、固定片２１から係止片２０までの高さ以内に延びている。また、ストッパー２５は、切欠部２４の外側に配置され、図２（ａ）に示した、第２レール１６が底板９の上面に取り付けられた状態では、ウォールキャビネット１において切欠部２４よりも前側に配置される。このようなストッパー２５は、ローラー１９との接触によって、可動棚１３の収納部４からの引き出し限界を形成するものである。
【００２５】
可動棚１３を箱体５における棚板７から下側の収納部４に取り付ける際には、第１レール１５のローラー１９を第２レール１６の切欠部２４の中に上方から挿入し、固定片２１の上に載せ、可動棚１３を箱体５の奥側に押し込む。このとき、第１レール１５の固定片１７の下面が、第２レール１６の前側のローラー２３に接触し、固定片１７は、ローラー２３によって下側から支持される。このようなローラー１９の固定片２１への乗り上げと、固定片１７のローラー２３による下側からの支持とによって、第１レール１５は第２レール１６に係合する。第１レール１５の第２レール１６に対する上下方向の揺動は、固定片１７の下面が係止片２０の上面に接触することによって規制され、第１レール１５と第２レール１６の係合は安定に保持される。
【００２６】
可動棚１３を箱体５の奥側に押し込むにしたがって、第１レール１５は、第２レール１６に係合したまま第２レール１６に沿って後方にスライドし、固定片１７の下面が、第２レール１６の後側のローラー２３に接触する。このとき、固定片１７は、二つのローラー２３によって下側から支持される。図２（ａ）に示したように、可動棚１３が収納部４にすっかり収納される状態では、ローラー１９が、第２レール１６の固定片２１よりも後方に配置される場合も考えられる。しかしながら、図４（ａ）に示したように、二つのローラー２３により固定片１７が下側から支持されているので、第１レール１５は第２レール１６に沿ってスライド可能である。しかも、係止片２０により第１レール１５の上下方向の揺動が上記のとおり規制されるので、第１レール１５は、第２レール１６に係合した状態を維持することができる。可動棚１３は、収納部４の内部に安定して収納され、可動棚１３の上面に置かれて収納される物品３の収納状態も安定する。
【００２７】
ウォールキャビネット１の収納部４に収納された物品３を取り出す際には、図１に示したように、扉６を開け、箱体５の前端２を開放する。上記のとおり、第１レール１５は、第２レール１６に係合し、第２レール１６に沿って前後方向にスライド可能であるため、図２（ｂ）に示したように、可動棚１３の全体を棚板７から下側の収納部４の前方に引き出すことができる。第１レール１５は第２レール１６に沿って前方に滑らかにスライドし、可動棚１３の引き出しは容易である。
【００２８】
図４（ｂ）に示したように、ローラー１９がストッパー２５にその後方から接触すると、第１レール１５のスライドは制止される。このときが、可動棚１３の収納部４からの引き出し限界であり、可動棚１３は、引き出し限界を超えて収納部４の前方に引き出されることはない。したがって、可動棚１３は箱体５から脱落することはなく、可動棚１３の引き出しは安全であり、しかも使用者は安心して可動棚１３を収納部４から引き出すことができる。なお、第２レール１６では、長さ方向の略中央部に切欠部２４が設けられ、その前側にストッパー２５が設けられているので、引き出し限界では、可動棚１３は、奥行き方向の長さの略半分が収納部４の前方に引き出される。
【００２９】
可動棚１３の引き出し限界においては、ローラー１９は、第２レール１６の切欠部２４の中に位置している。したがって、図２（ｃ）に示したように、使用者が、可動棚１３の前端部を押し下げると、図４（ｃ）に示したように、ローラー１９は、切欠部２４の中から上方に向かい、第２レール１６から抜け外れ、第１レール１５の第２レール１６への係合が部分的に解除される。このため、第１レール１５は、第２レール１６の前側のローラー２３を中心として下方に回動することができる。その結果、図２（ｃ）に示したように、可動棚１３は、その全体が前傾する。このため、可動棚１３の上面の上に収納された物品３は、可動棚１３の奥側のものも使用者に見えやすくなり、しかも使用者の手は物品３に届きやすくなる。また、物品３を可動棚１３の上面を滑らせて前側に引き寄せることも容易となる。このため、物品３の収納部４からの取り出しが容易となる。同様に、物品３を可動棚１３に収納する際にも、可動棚１３を前傾させた状態に置くことができ、可動棚１３における物品３の収納位置が使用者に確認しやすいものとなり、物品３を整然とした状態で収納することも可能となる。
【００３０】
なお、可動棚１３の前傾状態の保持は、たとえば、第１レール１５の固定片１７が、第２レール１６の係止片２０の前端に接触することなどによって可能とされる。また、物品３の確認、取り出しおよび収納を安全にかつ使用者に安心して行わせるためには、図４（ｃ）に示した、第１レール１５の第２レール１６に対する前傾角度θは、１０°〜１５°の範囲内とすることが好ましい。また、可動棚１３には、その外周に柵１４が設けられているので、前傾にともない物品３が落下したり、転倒したりするなどのおそれは軽減されている。
【００３１】
物品３の取り出しまたは収納が終わった後には、図２（ｄ）に示したように、可動棚１３を上方に回動させ、水平に配置させると、第１レール１５のローラー１９が第２レール１６の切欠部２４に挿入される。したがって、この状態において可動棚１３は後方への押し込みが可能とされる。可動棚１３を収納部４の後方に押し込むと、第１レール１５は、第２レール１６に再び係合し、第２レール１６に沿って後方にスライドするので、可動棚１３は、棚板７から下側の収納部４の下端部に収納される。扉６を閉めて箱体５の前端２を閉鎖することができる。
【００３２】
このように、ウォールキャビネット１では、収納部４の下端部に、前方への引き出しと内部への収納が可能であり、前後方向に移動可能な可動棚１３が設けられ、可動棚１３は、収納部４からの引き出し限界において、その全体が前傾可能とされている。このため、箱体５の内部の物品収納用の収納部４に収納された物品３を取り出す際に、転倒や落下などが抑制された安定な収納状態を保ったまま物品３を確認することができる。しかも物品３の取り出しおよび収納が容易となる。
【００３３】
また、第１レール１５および第２レール１６によって、可動棚１３の引き出しおよび前傾が簡便に実現される。
【００３４】
本発明のウォールキャビネットは、以上の実施形態によって限定されるものではない。箱体の構成および構造、扉の開閉方式、可動棚の構成および構造、第１レールおよび第２レールの構成および構造などの細部については様々な態様が可能である。
【符号の説明】
【００３５】
１  ウォールキャビネット
２  前端
４  収納部
５  箱体
６  扉
１３  可動棚
１５  第１レール
１６  第２レール
【図１】
2014054333.tif 000003
【図２】
2014054333.tif 000004
【図３】
2014054333.tif 000005
【図４】
2014054333.tif 000006